(57)【要約】      （修正有）【課題】  画像形成装置上に表示される第１の画像のカラーを、表示装置上に表示される第２の画像のカラーと一致させるためのカラー補正デバイスおよび方法を提供する。【解決手段】  画像形成装置は、第１のカラー空間に適合する複数の第１のカラー値を含む第１の画像を捕捉する。また、画像形成装置は、第１の画像の第１のカラー値を、第２のカラー空間に適合する複数の第２のカラー値に変換して、第２のカラー値を、入力された第２のカラー値に基づいて、第２の画像を表示する表示装置に出力する。ある実施形態の場合には、第１のカラー空間は、Ｒ、Ｇ、Ｂのカラー成分を含み、第２のカラー空間は、Ｙ、Ｃr、Ｃbのカラー成分を含む。【選択図】図１
2005051749.tif 000002
【特許請求の範囲】
【請求項１】
画像形成装置上に表示される第１の画像のカラーを、表示装置上に表示される第２の画像のカラーと一致させるために、前記画像形成装置で使用するカラー補正デバイスであって、前記画像形成装置が、Ｎ個の第１のカラー成分を含む第１のカラー空間に適合する第１のカラー値を各々が有するピクセルのアレイからなる前記第１の画像を捕捉し、前記画像形成装置が、前記第１の画像の各ピクセルの前記第１のカラー値を、それぞれ、Ｎ個の第２のカラー成分を含む第２のカラー空間に適合する第２のカラー値に変換し、前記画像形成装置が、前記第１の画像の、前記第２のカラー空間に適合する、第２のカラー値を、前記第１の画像の前記第２のカラー値に基づいて前記第２の画像を表示する前記表示装置に出力し、ここで、Ｎは自然数であって、
前記第１のカラー空間のＮ個の第１のカラー成分の中の１つだけからなる第３のカラー値を各々が有する少なくともＮ個の第３の画像を記憶するための記憶モジュールと、
前記第１のカラー空間に適合する、前記第３の画像の各々の前記第３のカラー値を、それぞれ前記第２のカラー空間に適合する第４のカラー値に変換するための変換モジュールと、
前記画像形成装置から前記表示装置に、それぞれ前記第３の画像の前記第４のカラー値を出力するための出力モジュールであって、前記表示装置が、前記第３の画像の第４のカラー値に基づいて、前記第３の画像の中の１つに各々が対応する少なくともＮ個の第４の画像をそれぞれ表示する、出力モジュールと、
前記表示装置上にそれぞれ表示される前記第４の画像を捕捉して、各々が前記第４の画像の中の１つに対応する少なくともＮ個の第５の画像を入手するための捕捉モジュールと、
前記第５の画像の各々の、前記第１のカラー空間に適合する、第５のカラー値をそれぞれ測定するための測定モジュールと、
前記第１のカラー空間に適合する、前記第３の画像の前記第３のカラー値、および前記第１のカラー空間に適合する、前記第５の画像の前記第５のカラー値に従って一組の補正係数を計算するための計算モジュールと、
前記一組の補正係数に従って、前記第１の画像の前記第２のカラー値を補正して、前記第２のカラー空間に適合する、前記第１の画像の補正した第２のカラー値を入手するための補正モジュールとを備え、
前記第２のカラー空間に適合する、前記第１の画像の前記補正した第２のカラー値を入手した後で、前記画像形成装置が、前記第１の画像の前記補正した第２のカラー値を前記表示装置に出力し、次に前記表示装置が、前記画像形成装置上に表示される前記第１の画像のカラーが、前記表示装置上に表示される前記第２の画像のカラーとほぼ一致するように、前記表示装置上の前記第１の画像の前記補正した第２のカラー値に基づいて、前記第２の画像を新たに表示する、カラー補正デバイス。
【請求項２】
前記第１のカラー空間が、Ｒ、ＧおよびＢ（赤、緑および青の）カラー成分を含む、請求項１に記載のカラー補正デバイス。
【請求項３】
前記第２のカラー空間が、Ｙ、ＣrおよびＣb（輝度、赤色度、青色度の）カラー成分を含む、請求項２に記載のカラー補正デバイス。
【請求項４】
前記第１のカラー空間に適合する、前記第３の画像の前記第３のカラー値が、Ｒ3、Ｇ3およびＢ3の記号でそれぞれ表され、前記第１のカラー空間に適合する、前記第５の画像の前記第５のカラー値が、Ｒ5、Ｇ5およびＢ5の記号でそれぞれ表され、前記一組の補正係数が、ＧbおよびＧrの記号でそれぞれ表され、下式：
【数１】
2005051749.tif 000005
により計算される、請求項３に記載のカラー補正デバイス。
【請求項５】
前記第１の画像の前記第２のカラー値が、Ｙ’、Ｃb’およびＣr’の記号でそれぞれ表され、前記第２のカラー空間に適合する、前記第１の画像の前記補正した第２のカラー値が、Ｙ”、Ｃb”およびＣr”の記号でそれぞれ表され、前記補正した第２のカラー値が下式：
【数２】
2005051749.tif 000006
により生成される、請求項４に記載のカラー補正デバイス。
【請求項６】
画像形成装置上に表示される第１の画像のカラーを、表示装置上に表示される第２の画像のカラーと一致させるためのカラー補正方法であって、前記画像形成装置が、Ｎ個の第１のカラー成分を含む第１のカラー空間に適合する第１のカラー値を各々が有するピクセルのアレイからなる前記第１の画像を捕捉し、前記画像形成装置が、前記第１の画像の各ピクセルの前記第１のカラー値を、それぞれ、Ｎ個の第２のカラー成分を含む第２のカラー空間に適合する第２のカラー値に変換し、前記画像形成装置が、前記第１の画像に関連する前記第２のカラー値を、前記第１の画像の前記第２のカラー値に基づいて前記第２の画像を表示する前記表示装置に出力し、ここで、Ｎは自然数であって、
（ａ）前記画像形成装置内に予め記憶している少なくともＮ個の第３の画像であって、各々が、前記Ｎ個の第１のカラー成分の中の１つだけからなる第３のカラー値を有している第３の画像を順次処理し、前記画像形成装置上で処理および表示中の前記第３の画像のカラーが、前記表示装置上で処理および表示中の前記第３の画像に対応する第４の画像のカラーと一致するように、前記第１のカラー空間に適合し、かつ処理中の前記第３の画像に関連する第１の補正したカラー値を決定するステップと、
（ｂ）前記第３の画像の前記第３のカラー値および前記第３の画像に関連する前記第１の補正したカラー値に従って一組の補正係数を計算するステップと、
（ｃ）前記一組の補正係数に従って、前記第１の画像の前記第２のカラー値を補正して、前記第１の画像の、前記第２のカラー空間に適合する、第２の補正したカラー値を入手するステップと、
（ｄ）前記画像形成装置から前記表示装置へ前記第１の画像の前記第２の補正したカラー値を出力するステップと、
（ｅ）前記画像形成装置上に表示される前記第１の画像のカラーが、前記表示装置上に表示される前記第２の画像のカラーとほぼ一致するように、前記第２の補正したカラー値に基づいて、前記表示装置上に前記第２の画像を新たに表示するステップとを含む、カラー補正方法。
【請求項７】
処理中の前記第３の画像に対して、ステップ（ａ）を、
（ａ１）処理中の前記第３の画像の前記第３のカラー値を現在のカラー値として設定し、前記現在のカラー値を前記第２のカラー空間に適合する第４のカラー値に変換するステップと、
（ａ２）前記画像形成装置から前記表示装置へ処理中の前記第３の画像の前記第４のカラー値を出力するステップと、
（ａ３）処理中の前記第３の画像の前記第４のカラー値に基づいて、前記表示装置上に処理中の前記第３の画像に対応する前記第４の画像を表示するステップと、
（ａ４）前記表示装置上に表示されている前記第４の画像を前記画像形成装置により捕捉して、処理中の前記第３の画像に対応する第５の画像を入手するステップと、
（ａ５）処理中の前記第３の画像に対応する前記第５の画像の、前記第１のカラー空間に適合する、第５のカラー値を測定するステップと、
（ａ６）前記第５のカラー値と前記現在のカラー値との間の違いが許容範囲内に入るかどうかを判断し、入らない場合には、前記現在のカラー値を前記第５のカラー値に置換し、ステップ（ａ１）〜（ａ６）を反復するステップと、
（ａ７）前記現在のカラー値を前記第１の補正したカラー値として決定するステップと
で実行する、請求項６に記載のカラー補正方法。
【請求項８】
前記第１のカラー空間が、Ｒ、ＧおよびＢ（赤、緑および青）カラー成分を含む、請求項７に記載のカラー補正方法。
【請求項９】
前記第２のカラー空間が、Ｙ、ＣrおよびＣb（輝度、赤色度、青色度）カラー成分を含む、請求項８に記載のカラー補正方法。
【請求項１０】
前記第３のカラー値が、Ｒ3、Ｇ3およびＢ3の記号でそれぞれ表され、前記第１の補正したカラー値が、Ｒc、ＧcおよびＢcの記号でそれぞれ表され、前記一組の補正係数が、ＧbおよびＧrの記号でそれぞれ表され、下式：
【数３】
2005051749.tif 000007
により計算される、請求項９に記載のカラー補正方法。
【請求項１１】
前記第１の画像の各ピクセルの前記第２のカラー値が、Ｙ’、Ｃb’およびＣr’の記号でそれぞれ表され、前記第１の画像の各ピクセルの前記第２の補正したカラー値が、Ｙ”、Ｃb”およびＣr”の記号でそれぞれ表され、前記第２の補正したカラー値が下式：
【数４】
2005051749.tif 000008
により生成される、請求項１０に記載のカラー補正方法。
【請求項１２】
画像形成装置上に表示される第１の画像のカラーを、表示装置上に表示される第２の画像のカラーと一致させるために、画像形成装置で使用するカラー補正デバイスであって、前記画像形成装置が、Ｎ個の第１のカラー成分を含む第１のカラー空間に適合する第１のカラー値を各々が有するピクセルのアレイからなる前記第１の画像を捕捉し、前記画像形成装置が、前記第１の画像の各ピクセルの前記第１のカラー値を、それぞれ、Ｎ個の第２のカラー成分を含む第２のカラー空間に適合する第２のカラー値に変換し、前記画像形成装置が、前記第２のカラー空間に適合する、前記第１の画像の前記第２のカラー値を、前記第１の画像の前記第２のカラー値に基づいて、前記第２の画像を表示する前記表示装置に出力し、ここで、Ｎは自然数であって、
前記第１のカラー空間のＮ個の第１のカラー成分の中の１つだけからなる第３のカラー値を各々が有する少なくともＮ個の第１のカラー・ブロックからなる第３の画像を記憶するための記憶モジュールと、
前記第１のカラー空間に適合する、前記第１のカラー・ブロックの各々の前記第３のカラー値を、それぞれ前記第２のカラー空間に適合する第４のカラー値に変換するための変換モジュールと、
前記画像形成装置から前記表示装置に前記第３の画像の前記第４のカラー値を出力するための出力モジュールであって、前記表示装置が前記第３の画像の第４のカラー値に基づいて、前記第３の画像に対応する第４の画像をそれぞれ表示する、出力モジュールと、
前記表示装置上に表示される前記第４の画像を捕捉して、前記第３の画像に対応していて、少なくともＮ個の第２のカラー・ブロックを含む第５の画像を入手するための捕捉モジュールと、
それぞれ前記第５の画像の前記第２のカラー・ブロックの各々の、前記第１のカラー空間に適合する、第５のカラー値を測定するための測定モジュールと、
前記第１のカラー空間に適合する、前記第３の画像の前記第３のカラー値、および前記第１のカラー空間に適合する、前記第５の画像の前記第５のカラー値に従って一組の補正係数を計算するための計算モジュールと、
前記一組の補正係数に従って、前記第１の画像の前記第２のカラー値を補正して、前記第２のカラー空間に適合する、前記第１の画像の補正した第２のカラー値を入手するための補正モジュールとを備え、
前記第２のカラー空間に適合する、前記第１の画像の前記補正した第２のカラー値を入手した後で、前記画像形成装置が、前記第１の画像の前記補正した第２のカラー値を前記表示装置に出力し、次に、前記表示装置が、前記画像形成装置上に表示される前記第１の画像のカラーが、前記表示装置上に表示される前記第２の画像のカラーにほぼ一致するように、前記第１の画像の前記補正した第２のカラー値に基づいて、前記表示装置上に前記第２の画像を新たに表示する、カラー補正デバイス。
【請求項１３】
前記第１のカラー空間が、Ｒ、ＧおよびＢ（赤、緑および青）カラー成分を含む、請求項１２に記載のカラー補正デバイス。
【請求項１４】
前記第２のカラー空間が、Ｙ、ＣrおよびＣb（輝度、赤色度、青色度）カラー成分を含む、請求項１３に記載のカラー補正デバイス。
【請求項１５】
前記第１のカラー空間に適合する、前記第３の画像の前記第３のカラー値が、Ｒ3、Ｇ3およびＢ3の記号でそれぞれ表され、前記第１のカラー空間に適合する、前記第５の画像の前記第５のカラー値が、Ｒ5、Ｇ5およびＢ5の記号でそれぞれ表され、前記一組の補正係数が、ＧbおよびＧrの記号でそれぞれ表され、下式：
【数５】
2005051749.tif 000009
により計算される、請求項１４に記載のカラー補正デバイス。
【請求項１６】
前記第１の画像の前記第２のカラー値が、Ｙ’、Ｃb’およびＣr’の記号でそれぞれ表され、前記第１の画像の前記補正した第２のカラー値が、Ｙ”、Ｃb”およびＣr”の記号でそれぞれ表され、前記補正した第２のカラー値が下式：
【数６】
2005051749.tif 000010
により生成される、請求項１５に記載のカラー補正デバイス。
【請求項１７】
画像形成装置上に表示される第１の画像のカラーを、表示装置上に表示される第２の画像のカラーと一致させるためのカラー補正方法であって、前記画像形成装置が、Ｎ個の第１のカラー成分を含む第１のカラー空間に適合する第１のカラー値を各々が有するピクセルのアレイからなる前記第１の画像を捕捉し、前記画像形成装置が、前記第１の画像の各ピクセルの前記第１のカラー値を、それぞれＮ個の第２のカラー成分を含む第２のカラー空間に適合する第２のカラー値に変換し、前記画像形成装置が、前記第１の画像の前記第２のカラー値を、前記第１の画像の前記第２のカラー値に基づいて、前記第２の画像を表示する前記表示装置に出力し、ここで、Ｎは自然数であって、
（ａ）前記画像形成装置内に予め記憶している第３の画像であって、Ｎ個の第１のカラー成分の中の１つだけからなる第３のカラー値を各々有する少なくともＮ個の第１のカラー・ブロックを備える第３の画像の中の１つを処理し、前記画像形成装置上に表示される前記第３の画像のカラーが、前記第３の画像に対応し、前記表示装置上に表示される第４の画像のカラーに一致するように、前記第１のカラー空間に適合し、かつ前記第３の画像に関連する第１の補正したカラー値を決定するステップと、
（ｂ）前記第３の画像の前記第３のカラー値および前記第３の画像に関連する前記第１の補正したカラー値に従って一組の補正係数を計算するステップと、
（ｃ）前記第１の画像の前記第２のカラー値を前記一組の補正係数に従って補正して、前記第２のカラー空間に適合する、前記第１の画像の第２の補正したカラー値を入手するステップと、
（ｄ）前記画像形成装置から前記表示装置へ前記第１の画像の前記第２の補正したカラー値を出力するステップと、
（ｅ）前記画像形成装置上に表示される前記第１の画像のカラーが、前記表示装置上に表示される前記第２の画像のカラーとほぼ一致するように、前記第２の補正したカラー値に基づいて、前記表示装置上に前記第２の画像を新たに表示するステップとを含む、カラー補正方法。
【請求項１８】
前記第３の画像に対してステップ（ａ）を、
（ａ１）前記第３の画像の前記第３のカラー値を現在のカラー値として設定し、前記現在のカラー値を前記第２のカラー空間に適合する第４のカラー値に変換するステップと、
（ａ２）前記画像形成装置から前記表示装置へ前記第３の画像の前記第４のカラー値を出力するステップと、
（ａ３）前記第３の画像の前記第４のカラー値に基づいて、前記表示装置上に前記第３の画像に対応する前記第４の画像を表示するステップと、
（ａ４）前記表示装置上に表示されている前記第４の画像を前記画像形成装置により捕捉して、前記第３の画像に対応し、かつ少なくともＮ個の第２のカラー・ブロックを含む第５の画像を入手するステップと、
（ａ５）それぞれ前記第５の画像の前記第２のカラー・ブロックの各々の、前記第１のカラー空間に適合する、第５のカラー値を測定するステップと、
（ａ６）前記第５のカラー値と前記現在のカラー値との間の違いが、許容範囲内に入るかどうかを判断し、入らない場合には、前記現在のカラー値を前記第５のカラー値に置換し、ステップ（ａ１）〜（ａ６）を反復するステップと、
（ａ７）前記現在のカラー値を前記第１の補正したカラー値として決定するステップと
で実行する、請求項１７に記載のカラー補正方法。
【請求項１９】
前記第１のカラー空間が、Ｒ、ＧおよびＢ（赤、緑および青）カラー成分を含む、請求項１８に記載のカラー補正方法。
【請求項２０】
前記第２のカラー空間が、Ｙ、ＣrおよびＣb（輝度、赤色度、青色度）カラー成分を含む、請求項１９に記載のカラー補正方法。
【請求項２１】
前記第３のカラー値が、Ｒ3、Ｇ3およびＢ3の記号でそれぞれ表され、前記第１の補正したカラー値が、Ｒc、ＧcおよびＢcの記号でそれぞれ表され、前記一組の補正係数が、ＧbおよびＧrの記号でそれぞれ表され、下式：
【数７】
2005051749.tif 000011
により計算される、請求項２０に記載のカラー補正方法。
【請求項２２】
前記第１の画像の各ピクセルの前記第２のカラー値が、Ｙ’、Ｃb’およびＣr’の記号でそれぞれ表され、前記第１の画像の各ピクセルの前記第２の補正したカラー値が、Ｙ”、Ｃb”およびＣr”の記号でそれぞれ表され、前記第２の補正したカラー値が下式：
【数８】
2005051749.tif 000012
により生成される、請求項２１に記載のカラー補正方法。
【発明の詳細な説明】
【技術分野】
【０００１】
本発明は、カラー補正デバイスおよび方法に関し、特に画像形成装置上に表示される画像のカラーを、表示装置上に表示される画像のカラーにほぼ一致させるためのカラー補正デバイスおよび方法に関する。
【背景技術】
【０００２】
テレビジョンおよびオーバーヘッド・プロジェクタのような画像表示装置のブランドが何であろうと、これら画像表示装置は、輝度、コントラスト、色合い、カラーおよび鮮鋭度の５つの基本的調整機能を有している。これら５つの基本的な調整機能の主な目的は、テレビジョンまたはオーバーヘッド・プロジェクタ上に表示される画像の品質をユーザが調整することができるようにすることである。
【発明の開示】
【発明が解決しようとする課題】
【０００３】
画像表示装置に接続されている画像源装置としては、ＤＶＤ／ＶＣＤプロジェクタまたはデジタル・カメラおよびデジタル・ビデオ・カメラのデジタル画像形成装置を使用することができる。製品を市販する前に、上記画像源装置のメーカーは校正手順を行い、その結果、各工場からのすべての画像源装置は同じ表示表現を行う。しかし、異なる工場の間には共通の校正規格がない。ユーザは、異なる工場の異なる画像源デバイスが、表示装置に画像を出力する場合に、気に入った画像品質に得るために、輝度、コントラスト、色合い、カラーおよび鮮鋭度の調整パラメータを手動で調整しなければならない。それ故、このことはユーザにとって便利であるとはいえない。
【０００４】
それ故、デジタル・カメラおよびデジタル・ビデオ・カメラのデジタル画像形成装置が、表示装置に出力し、作用する場合に、画像形成装置上に表示される画像のカラーを、表示装置上に表示される画像のカラーとほぼ一致させるためにカラー校正手順が行われる。
【０００５】
従って、本発明の１つの目的は、画像形成装置上に表示される画像のカラーを、表示装置上に表示される画像のカラーと一致させるためのカラー補正デバイスを提供することである。さらに、画像形成装置が、それぞれ異なる表示装置に画像を出力する場合には、本発明のカラー補正デバイスにより、異なる表示装置上に表示される画像のカラーは、画像形成装置上に表示される画像のカラーとほぼ一致する。
【課題を解決するための手段】
【０００６】
本発明のカラー補正デバイスでは、カラー補正デバイスは、画像形成装置内に設けられる。カラー補正デバイスは、画像形成装置上に表示される第１の画像のカラーを表示装置上に表示される第２の画像のカラーと一致させるために使用される。画像形成装置が捕捉する第１の画像は、ピクセルのアレイにより形成される。これらピクセルの各々は、Ｎ個の第１のカラー成分を含む第１のカラー空間に適合する第１のカラー値を有する。また、画像形成装置は、第１の画像の各ピクセルのカラー値を、第２のカラー空間に適合する第２の各カラー値に変換する。この第２のカラー空間は、Ｎ個の第２のカラー成分を含む。さらに、画像形成装置は、第１の画像の第２のカラー値に基づいて第２の画像を表示する表示装置へ、第２のカラー空間に適合する、第１の画像の第２のカラー値を出力する。ここで、Ｎは自然数である。カラー補正デバイスは、記憶モジュールと、変換モジュールと、出力モジュールと、捕捉モジュールと、測定モジュールと、計算モジュールと、補正モジュールとを備える。
【０００７】
記憶モジュールは、少なくともＮ個の第３の画像を記憶するために使用される。第３の画像の各々は、第１のカラー空間のＮ個の第１のカラー成分のうちの１つだけで形成される第３のカラー値を有する。
【０００８】
変換モジュールは、第３の画像の各々の第１のカラー空間に適合する第３のカラー値を、それぞれ第２のカラー空間に適合する第４のカラー値に変換するために使用される。
出力モジュールは、画像形成装置からの第３の画像の第４のカラー値を、それぞれ表示装置に出力するために使用される。この場合、表示装置は、第３の画像の第４のカラー値に基づいて、少なくともＮ個の第４の画像をそれぞれ表示する。第４の画像の各々は第３の画像の中の１つに対応する。
【０００９】
捕捉モジュールは、表示装置上に表示されるそれぞれの第４の画像を捕捉し、さらに少なくともＮ個の第５の画像を入手するために使用される。第５の画像の各々は第４の画像の中の１つに対応する。
【００１０】
測定モジュールは、それぞれ、第１のカラー空間に適合する、第５の画像の各々の第５のカラー値を測定するために使用される。
計算モジュールは、第３の画像の第１のカラー空間に適合する第３のカラー値、および第５の画像の第１のカラー空間に適合する第５のカラー値に従って一組の補正係数を計算するために使用される。
【００１１】
補正モジュールは、一組の補正係数に従って第１の画像の第２のカラー値を補正し、さらに第１の画像の第２のカラー空間に適合する補正した第２のカラー値を入手するために使用される。
【００１２】
この場合、第２のカラー空間に適合する、第１の画像の補正した第２のカラー値を入手した後で、画像形成装置は、第１の画像の補正した第２のカラー値を表示装置に出力し、次に表示装置は、第１の画像の補正した第２のカラー値に基づいて第２の画像を新たに表示し、その結果、画像形成装置上に表示される第１の画像のカラーは、表示装置上に表示される第２の画像のカラーとほぼ一致する。
【００１３】
従って、本発明のカラー補正デバイスにより、画像形成装置上に表示される画像のカラーを、表示装置上に表示される画像のカラーと一致させることができる。
添付の図面を参照しながら下記の説明を読めば、本発明の利点および精神を理解することができるだろう。
【発明を実施するための最良の形態】
【００１４】
図１を参照すると、この図は、本発明によるカラー補正デバイスの概略図である。画像形成装置１０内に設けられた本発明によるカラー補正デバイス１２は、画像形成装置１０上に表示される第１の画像１４のカラーを、表示装置１６上に表示される第２の画像１８のカラーと一致させるために使用される。画像形成装置１０は、ピクセル（図１には示していない）のアレイにより形成される第１の画像１４を捕捉する。各ピクセルは、３つの第１のカラー成分（Ｒ、ＧおよびＢ）を含む第１のカラー空間（図１には示していない）に適合する第１のカラー値２０を有する。画像形成装置１０は、第１の画像１４の各ピクセルの第１のカラー値２０を、第２のカラー空間（図１には示していない）に適合する第２のカラー値（Ｙ’、Ｃb’およびＣr’）に変換する。この場合、第２のカラー空間は、３つの第２のカラー成分（Ｙ、ＣbおよびＣr）を含む。また、画像形成装置１０は、第１の画像１４の第２のカラー値（Ｙ’、Ｃb’およびＣr’）を、第１の画像１４の第２のカラー値（Ｙ’、Ｃb’およびＣr’）に基づいて第２の画像１８を表示する表示装置１６に出力する。カラー補正デバイス１２は、記憶モジュール２４と、変換モジュール２６と、出力モジュール２８と、捕捉モジュール３０と、測定モジュール３１と、計算モジュール３２と、補正モジュール３４とを備える。
【００１５】
記憶モジュール２４は、少なくとも３つの第３の画像（３６ａ、３６ｂおよび３６ｃ）を記憶するために使用される。この場合、第３の画像の各々は、第３のカラー値（Ｒ3、Ｇ3およびＢ3）を有する。第３のカラー値は、第１のカラー空間の３つの第１のカラー成分（Ｒ、ＧおよびＢ）の中の１つだけで形成される。
【００１６】
変換モジュール２６は、第１のカラー空間に適合する、第３の画像（３６ａ、３６ｂおよび３６ｃ）の各々の第３のカラー値（Ｒ3、Ｇ3およびＢ3）を、第２のカラー空間に適合するそれぞれの第４の各カラー値（Ｙ4、Ｃr4およびＣb4）に変換するために使用される。
【００１７】
出力モジュール２８は、画像形成装置１０からの第３の画像（３６ａ、３６ｂおよび３６ｃ）の第４のカラー値（Ｙ4、Ｃr4およびＣb4）を、それぞれ表示装置１６に出力するために使用される。この場合、表示装置１６は、それぞれ第３の画像（３６ａ、３６ｂおよび３６ｃ）の第４のカラー値（Ｙ4、Ｃr4およびＣb4）に基づいて、少なくとも３つの第４の画像（３８ａ、３８ｂおよび３８ｃ）を表示する。第４の画像（３８ａ、３８ｂおよび３８ｃ）の各々は第３の画像（３６ａ、３６ｂおよび３６ｃ）の中の１つに対応する。
【００１８】
捕捉モジュール３０は、表示装置１６上に表示される第４の画像（３８ａ、３８ｂおよび３８ｃ）をそれぞれ捕捉し、さらに少なくとも３つの第５の画像（４０ａ、４０ｂおよび４０ｃ）を入手するために使用される。第５の画像（４０ａ、４０ｂおよび４０ｃ）の各々は、第４の画像（３８ａ、３８ｂおよび３８ｃ）の中の１つに対応する。
【００１９】
測定モジュール３１は、第５の画像（４０ａ、４０ｂおよび４０ｃ）の各々の、第１のカラー空間に適合する、第５のカラー値（Ｒ5、Ｇ5およびＢ5）をそれぞれ測定するために使用される。
【００２０】
計算モジュール３２は、第１のカラー空間に適合する、第３の画像（３６ａ、３６ｂおよび３６ｃ）の第３のカラー値（Ｒ3、Ｇ3およびＢ3）、および第１のカラー空間に適合する、第５の画像（４０ａ、４０ｂおよび４０ｃ）の第５のカラー値（Ｒ5、Ｇ5およびＢ5）に従って、一組の補正係数（ＧbおよびＧr）を計算するために使用される。
【００２１】
補正モジュール３４は、上記一組の補正係数（ＧbおよびＧr）に従って第１の画像１４の第２のカラー値（Ｙ’、Ｃb’およびＣr’）を補正し、さらに、第２のカラー空間に適合する、第１の画像１４の補正した第２のカラー値（Ｙ”、Ｃb”およびＣr”）を入手するために使用される。
【００２２】
この場合、第２のカラー空間に適合する、第１の画像１４補の正した第２のカラー値（Ｙ”、Ｃb”およびＣr”）を入手した後で、画像形成装置１０は、第１の画像１４の補正した第２のカラー値（Ｙ”、Ｃb”およびＣr”）を表示装置１６に出力し、次に表示装置１６は、第１の画像１４の補正した第２のカラー値（Ｙ”、Ｃb”およびＣr”）に基づいて第２の画像１８を新たに表示し、その結果、画像形成装置１０上に表示される第１の画像１４内のカラーは、表示装置１６上に表示される第２の画像１８内のカラーとほぼ一致する。
【００２３】
さらに、計算モジュール３２は、第３のカラー値（Ｒ3、Ｇ3およびＢ3）および第５のカラー値（Ｒ5、Ｇ5およびＢ5）をベースとして、下式により補正係数（ＧbおよびＧr）を計算する。
【００２４】
【数１】
2005051749.tif 000003
補正モジュールは、一組の補正係数（ＧbおよびＧr）および下式の計算により、第１の画像１４の第２のカラー値（Ｙ’、Ｃb’およびＣr’）を補正し、第２のカラー空間に適合する、第１の画像１４の補正した第２のカラー値（Ｙ”、Ｃb”およびＣr”）を入手する。
【００２５】
【数２】
2005051749.tif 000004
さらに、画像形成装置１０は、第１の画像１４の補正した第２のカラー値（Ｙ”、Ｃb”およびＣr”）を表示装置１６に出力し、次に表示装置１６は、第１の画像１４の補正した第２のカラー値（Ｙ”、Ｃb”およびＣr”）に基づいて第２の画像１８を新たに表示し、その結果、画像形成装置１０上に表示される第１の画像１４内のカラーは、表示装置１６上に表示される第２の画像１８内のカラーにほぼ一致する。
【００２６】
従って、本発明のカラー補正デバイス１２により、画像形成装置上に表示される画像のカラーを、表示装置上に表示される画像のカラーとほぼ一致させることができる。
図２、図３Ａおよび図３Ｂを参照すると、図２は、本発明のもう１つの実施形態によるカラー補正デバイス１３の概略図である。図３Ａは、カラー補正デバイス１３の第３の画像３７の概略図である。図３Ｂは、カラー補正デバイス１３の第５の画像４１の概略図である。カラー補正デバイス１３の記憶モジュール２４は、第３の画像３７を記憶するために使用され、第３の画像３７は、少なくとも３つの第１のカラー・ブロック（４２ａ、４２ｂおよび４２ｃ）を含む。少なくとも３つの第１のカラー・ブロックの各々は、第１のカラー空間の３つの第１のカラー成分（Ｒ、ＧおよびＢ）の中の１つだけで形成されている第３のカラー値（Ｒ3a、Ｇ3aおよびＢ3a）を有する。それ故、第５の画像４１は、第３の画像３７に対応し、また対応する第２のカラー・ブロック（４４ａ、４４ｂおよび４４ｃ）を含む。
【００２７】
変換モジュール２６は、第１のカラー空間に適合する、第１のカラー・ブロックの各々の第３のカラー値（Ｒ3a、Ｇ3aおよびＢ3a）を、それぞれ第２のカラー空間に適合する第４のカラー値（Ｙ4a、Ｃr4aおよびＣb4a）に変換するために使用される。次に、変換モジュールは、出力モジュール２８により第３の画像３７の第４のカラー値（Ｙ4a、Ｃr4aおよびＣb4a）を表示装置１６に出力し、次に、表示装置１６は第４の画像３９を表示する。この場合、第４の画像３９は第３の画像３７に対応する。
【００２８】
捕捉モジュール３０は、表示装置１６上に表示された第４の画像３９を捕捉し、さらに第５の画像４１を入手するために使用される。第５の画像４１は第４の画像３９および第３の画像３７に対応する。それ故、第５の画像４１は、少なくとも３つの第２のカラー・ブロック（４４ａ、４４ｂおよび４４ｃ）を含む。第２のカラー・ブロック（４４ａ、４４ｂおよび４４ｃ）は、第３の画像３７の第１のカラー・ブロック（４２ａ、４２ｂおよび４２ｃ）に対応する。
【００２９】
測定モジュール３１は、第１のカラー空間に適合する、それぞれ、第５の画像４１の第２のカラー・ブロック（４４ａ、４４ｂおよび４４ｃ）の各々の第５のカラー値（Ｒ5a、Ｇ5aおよびＢ5a）を測定するために使用される。
【００３０】
計算モジュール３２は、第３の画像３７の第１のカラー・ブロック（４２ａ、４２ｂおよび４２ｃ）の第３のカラー値（Ｒ3a、Ｇ3aおよびＢ3a）、および第５の画像４１の第２のカラー・ブロック（４４ａ、４４ｂおよび４４ｃ）の第５のカラー値（Ｒ5a、Ｇ5aおよびＢ5a）に従って、一組の補正係数（ＧbおよびＧr）を計算するために使用される。
【００３１】
従って、本発明のカラー補正デバイス１３により、画像形成装置上に表示される画像のカラーを、表示装置上に表示される画像のカラーにほぼ一致させることができる。
図４を参照すると、この図は、本発明によるカラー補正方法のフローチャートである。以下に図１のカラー補正デバイス１２のカラー補正方法を詳細に説明する。本発明の方法は下記のステップを含む。
【００３２】
ステップＳ５０：画像形成装置１０内に予め記憶している少なくとも３つの第３の画像（３６ａ、３６ｂおよび３６ｃ）を順次処理する。この場合、第３の画像（３６ａ、３６ｂおよび３６ｃ）の各々は、３つの第１のカラー成分（Ｒ、ＧおよびＢ）の中の１つだけで形成されている第３のカラー値（Ｒ3、Ｇ3およびＢ3）を有し、画像形成装置１０上で処理され、表示されている第３の画像（３６ａ、３６ｂおよび３６ｃ）のカラーが、表示装置１６上で処理され、表示されている対応する第４の画像（３８ａ、３８ｂおよび３８ｃ）のカラーとほぼ一致するように、処理中の第３の画像（３６ａ、３６ｂおよび３６ｃ）の、第１のカラー空間に適合する、関連する第１の補正カラー値（Ｒc、ＧcおよびＢc）を決定する。
【００３３】
ステップＳ５２：第３の画像（３６ａ、３６ｂおよび３６ｃ）の第３のカラー値（Ｒ3、Ｇ3およびＢ3）、および第３の画像（３６ａ、３６ｂおよび３６ｃ）に関連する第１の補正したカラー値（Ｒc、ＧcおよびＢc）に従って、一組の補正係数（ＧbおよびＧr）を計算する。
【００３４】
ステップＳ５４：一組の補正係数（ＧbおよびＧr）に従って、第１の画像１４の第２のカラー値（Ｙ’、Ｃb’およびＣr’）を補正して、第１の画像１４の、第２のカラー空間に適合する、第２の補正したカラー値（Ｙ”、Ｃb”およびＣr”）を入手する。
【００３５】
ステップＳ５６：画像形成装置１０から表示装置１６に、第１の画像１４の第２の補正したカラー値（Ｙ”、Ｃb”およびＣr”）を出力する。
ステップＳ５８：画像形成装置１０上に表示される第１の画像１４のカラーが、表示装置１６上に表示される第２の画像１８のカラーにほぼ一致するように、第２の補正したカラー値（Ｙ”、Ｃb”およびＣr”）に基づいて、表示装置１６上に第２の画像１８を新たに表示する。
【００３６】
図５を参照すると、この図は、本発明によるカラー補正方法のフローチャートである。図４のステップＳ５０は、さらに下記のステップを含む。
ステップＳ５０１：処理している第３の画像（３６ａ、３６ｂおよび３６ｃ）の第３のカラー値（Ｒ3、Ｇ3およびＢ3）を現在のカラー値として設定し、現在のカラー値を第２のカラー空間に適合する第４のカラー値（Ｙ4、Ｃr4およびＣb4）に変換する。
【００３７】
ステップＳ５０２：画像形成装置１０から表示装置１６に、処理中の第３の画像（３６ａ、３６ｂおよび３６ｃ）の第４のカラー値（Ｙ4、Ｃr4およびＣb4）を出力する。
ステップＳ５０３：処理している第３の画像（３６ａ、３６ｂおよび３６ｃ）の第４のカラー値（Ｙ4、Ｃr4およびＣb4）に基づいて、表示装置１６上に処理中の対応する第４の画像（３８ａ、３８ｂおよび３８ｃ）を表示する。
【００３８】
ステップＳ５０４：表示装置１６上に表示している第４の画像（３８ａ、３８ｂおよび３８ｃ）を画像形成装置１０により捕捉して、処理している第３の画像（３６ａ、３６ｂおよび３６ｃ）に対応する第５の画像（４０ａ、４０ｂおよび４０ｃ）を入手する。
【００３９】
ステップＳ５０５：処理している第３の画像に対応する第５の画像（４０ａ、４０ｂおよび４０ｃ）の各々の、第１のカラー空間に適合する、第５のカラー値（Ｒ5、Ｇ5およびＢ5）を測定する。
【００４０】
ステップＳ５０６：第５のカラー値（Ｒ5、Ｇ5およびＢ5）と現在のカラー値との間の違いが許容範囲内に入るかどうかを判断し、入らない場合には、現在のカラー値を第５のカラー値（Ｒ5、Ｇ5およびＢ5）に置き換え、ステップＳ５０１〜Ｓ５０６を反復する。
【００４１】
ステップＳ５０７：現在のカラー値を第１の補正したカラー値（Ｒc、ＧcおよびＢc）として決定する。
それ故、本発明のカラー補正デバイス１２を使用すれば、画像形成装置上に表示される画像のカラーを、表示装置上に表示される画像のカラーとほぼ一致させる事ができる。
【００４２】
上記の例および説明により、本発明の特徴および精神をうまく説明できたと信じる。当業者であれば、本発明の範囲から逸脱することなしに、上記デバイスを種々に修正および変更できることにすぐ気が付くだろう。それ故、上記した開示内容は、添付の特許請求の範囲の内容および境界だけにより制限されると解釈すべきである。
【図面の簡単な説明】
【００４３】
【図１】本発明によるカラー補正デバイスの概略図。
【図２】本発明のもう１つの実施形態によるカラー補正デバイスの概略図。
【図３Ａ】カラー補正デバイスの第３の画像の概略図。
【図３Ｂ】カラー補正デバイスの第５の画像の概略図。
【図４】本発明によるカラー補正方法のフローチャート。
【図５】本発明によるカラー補正方法のフローチャート。
【図１】
2005051749.tif 000013
【図２】
2005051749.tif 000014
【図３Ａ】
2005051749.tif 000015
【図３Ｂ】
2005051749.tif 000016
【図４】
2005051749.tif 000017
【図５】
2005051749.tif 000018
【外国語明細書】
2005051749.tif 000019
2005051749.tif 000020
2005051749.tif 000021
2005051749.tif 000022
2005051749.tif 000023
2005051749.tif 000024
2005051749.tif 000025
2005051749.tif 000026
2005051749.tif 000027
2005051749.tif 000028
2005051749.tif 000029
2005051749.tif 000030
2005051749.tif 000031
2005051749.tif 000032
2005051749.tif 000033
2005051749.tif 000034
2005051749.tif 000035
2005051749.tif 000036
2005051749.tif 000037
2005051749.tif 000038
2005051749.tif 000039
2005051749.tif 000040
2005051749.tif 000041
2005051749.tif 000042
2005051749.tif 000043
2005051749.tif 000044
2005051749.tif 000045
2005051749.tif 000046